(57)【特許請求の範囲】
【請求項１】
水栓本体を水栓取付部に取付けるための取付装置であって、
この取付装置を、前記水栓本体を差し込むための支持孔を有して前記水栓取付部に固定される取付部材と、この取付部材の支持孔に挿入された前記水栓本体の結合を行うべく弾性材料によってリング状に形成され、前記水栓本体の下部外周に縮径自在に嵌合されて、常態では前記支持孔の径より外径が大なる係合具と、この係合具による前記水栓本体と取付部材との結合を解除すべく、前記取付部材の下端に支持した係合解除部材とにより構成するとともに、
前記係合具は、これに切断部を入れたものとして、この切断部により当該係合具の縮径または拡径を可能にしたことを特徴とする水栓の取付装置。
【請求項２】
水栓本体を水栓取付部に取付けるための取付装置であって、
この取付装置を、前記水栓本体を差し込むための支持孔を有して前記水栓取付部に固定される取付部材と、この取付部材の支持孔に挿入された前記水栓本体の結合を行うべく弾性材料によってリング状に形成され、前記取付部材の支持孔の下部内周に拡径自在に嵌合されて、常態では前記支持孔の径より内径が小なる係合具と、この係合具による前記水栓本体と取付部材との結合を解除すべく、前記取付部材または水栓本体の下端に支持した係合解除部材とにより構成するとともに、
前記係合具は、これに切断部を入れたものとして、この切断部により当該係合具の縮径または拡径を可能にしたことを特徴とする水栓の取付装置。
【請求項３】
前記リング状の係合具の端縁に、前記係合解除部材の先端部に形成してあるテーパ面によって押動されたとき、当該係合具を縮径または拡径するためのテーパ面を形成したことを特徴とする請求項１または請求項２に記載の取付装置。
【請求項４】
前記係合解除部材を、前記取付部材の支持孔内または前記水栓本体の内側に進退自在に嵌挿されるものとして構成するとともに、この係合解除部材の外周面に、前記取付部材または水栓本体に形成した係止穴または係止溝に係止される係止部を突出形成したことを特徴とする請求項１〜請求項３のいずれかに記載の取付装置。
【請求項５】
前記リング状の係合具をだ円状のものとして、前記水栓本体の下部外周または前記取付部材の支持孔の下部内周に弾性的に嵌合させたことを特徴とする請求項１〜請求項４のいずれかに記載の取付装置。
【発明の詳細な説明】
【０００１】
【産業上の利用分野】
本発明は、水栓本体を、シンク台や洗面化粧台等の天板を代表とする水栓取付部に取付けるための、水栓の取付装置に関するものである。
【０００２】
【従来の技術】
近年においては、単水栓であっても、湯水混合水栓であっても、むき出しのままにされた水道管や給湯管に直接接続することは殆どなされてはおらず、システムキッチンのシンク台や洗面化粧台を構成している天板等を水栓の取付部として、この水栓取付部に水栓本体を取付けるようにすることが行われている。このような場合に必要になるのが水栓の取付装置である。
【０００３】
この種の水栓の取付装置は、上記シンク台や洗面化粧台が規格品として大量生産されるものであること、及び天板等の水栓取付部の下面において固定作業をなさなければならないこと等を考慮すると、その取付作業を容易に行えるようにすることができるものである必要がある。そこで、例えば、特開平５−２１４７４９号公報にて、「カランの取付を短時間に且容易に行うことができる」ようにすることを目的として、「カランの差し込み部が差し込まれる筒状であって、カランと係合してカランの回り止めを行う回り止め係合部を有して被取り付面に固着される筒状の取付部材と、この取付部材に着脱自在に取り付けられるとともに取付部材に差し込まれたカランの差し込み部に設けられている係合部に弾性係合してカランの抜け止めを行う係合具とを備え」た「カランの取付構造」が提案されている。
【０００４】
この従来の「カランの取付構造」によれば、図１６に示すように、天板等の水栓取付部に予じめ取付けられた取付部材に対して、カランの差し込み部を差し込むとともに、係合具を取付部材の取付溝に嵌め込めば、カランは取付部材に対する回り止めと、係合具の弾性係合による抜け止めがなされるものであり、カランの取付作業をそれなりに簡単に行えるものである。
【０００５】
しかしながら、この図１６に示した係合具は、図示の通り非常に小さな部品であり、しかも取付部材等とは完全に独立した別体のものであることから、その取付作業を行う際に紛失し易いものとなっており、一旦紛失した係合具を探し出すには相当時間が掛かることも十分あり得る。しかも、この「取付構造」を採用したカランは、新規に建設されるホテルや集合住宅等の多数の部屋に短時間内で多数取付なければならない場合が多いものであり、係合具が紛失してしまって、これを探し出すのに時間が掛かるようでは、限定されている施工期間内に納品することができなくなる。
【０００６】
それだけでなく、この小さな部品である係合具は、取付部材側の細かい取付溝内に差し込まなければならないから、前述した紛失をしないように注意しながら細かい取付溝の場所を確認しなければならず、非常に注意を払わなければならない。しかも、取付部材側の取付溝は、天板等の水栓取付部の下方に位置していて、暗くて見えにくい場所であり、例えば日没後にその確認作業を行おうとすれば明りを用意しなければならないことにもなって、カランの取付作業は円滑に行えないこともあり得るものである。
【０００７】
そこで、本発明者は、水栓の取付をより一層簡単に行えるようにするにはどうしたらよいかについて種々検討を重ねてきたところ、係合具を水栓全体または取付本体に取り付けたものとすることがよい結果を生むことを新規に知見して、本発明を完成したのである。
【０００８】
【発明が解決しようとする課題】
本発明は、以上のような経緯に基づいてなされたもので、その解決しようとする課題は、水栓の天板等の水栓取付部に対する取付作業をより一層簡単にすることである。
【０００９】
すなわち、請求項１に係る発明の目的とするところは、リング状に形成した係合具を水栓本体の下部外周に縮径自在に取り付け、この係合具によって水栓本体の取付部材に対する結合を行うようにして、水栓の取付作業時における係合具の紛失を防止することができて、結果として水栓の取付作業を短時間内に確実にかつ容易に行えるようにすることのできる取付装置を提供することにある。
【００１０】
また、請求項２に係る発明の目的とするところは、係合具を水栓本体を水栓取付部に取付けるための取付部材側に拡径自在に取り付けて、この係合具の紛失を防止し、水栓の取付作業を短時間内に確実かつ容易に行えるようにすることのできる取付装置を提供することにある。
【００１１】
さらに、請求項３に係る発明の目的とするところは、請求項１または２の発明における係合具の係合解除部材による縮径または拡径を確実に行えるようにして、水栓の変換または交換作業を確実かつ簡単に行えるようにすることのできる取付装置を提供することにあり、また、請求項４に係る発明の目的とするところは、係合具の係合解除部材をも取付部材または水栓本体側に取付けて、その紛失を防止するとともに、その操作を押動または引き出しによって簡単に行えるようにし、請求項１〜３の発明の目的を達成することができるとともに、水栓の取付・交換作業をより一層簡単に行うことができる取付装置を提供することができる。
【００１２】
そして、請求項５に係る発明の目的とするところは、係合具をだ円状のものとすることによって、請求項１〜請求項４の発明の目的を達成することができる他、水栓本体と取付部材との結合をより確実に行えることのできる取付装置を提供することにある。
【００１３】
【課題を解決するための手段】
以上の課題を解決するために、まず請求項１に係る発明の採った手段は、実施例において使用する符号を付して説明すると、
「水栓本体４０を水栓取付部５０に取付けるための取付装置１００であって、  この取付装置１００を、水栓本体４０を差し込むための支持孔１１を有して水栓取付部５０に固定される取付部材１０と、この取付部材１０の支持孔１１に挿入された水栓本体４０の結合を行うべく弾性材料によってリング状に形成され、水栓本体４０の下部外周に縮径自在に嵌合されて、常態では支持孔１１の径より外径が大なる係合具２０と、この係合具２０による水栓本体４０と取付部材１０との結合を解除すべく、取付部材１０の下端に支持した係合解除部材３０とにより構成するとともに、
係合具２０は、これに切断部２１を入れたものとして、この切断部２１により当該係合具２０の縮径または拡径を可能にしたことを特徴とする水栓の取付装置１００」
である。
【００１４】
すなわち、この請求項１に係る取付装置１００は、水栓本体４０の下部外周に円環状に形成した係止溝４１内に、弾性材料によって一部に切断部２１を有するリング状のものとして形成した係合具２０を嵌合して、この係合具２０が水栓本体４０に取付けられたものとしたものであり、この係合具２０が、水栓取付部５０に取付けられた取付部材１０と、その支持孔１１内に挿入された水栓本体４０との間に介在することにより、取付部材１０と水栓本体４０との結合を行うものである。勿論、この取付装置１００は、その係合具２０を切断部２１によって縮径自在なものとすることにより、これを嵌合した水栓本体４０の支持孔１１内への挿入時における係合具２０の縮径と、水栓本体４０の取付部材１０からの取外し時における係合具２０の拡径とを可能にしているものであり、水栓本体４０の取付部材１０に対する結合と取外し作業を容易に行えるようにしたものである。
【００１５】
また、上記課題を解決するために、請求項２に係る発明の採った手段は、実施例において使用する符号を付して説明すると、
「水栓本体４０を水栓取付部５０に取付けるための取付装置１００であって、  この取付装置１００を、水栓本体４０を差し込むための支持孔１１を有して水栓取付部５０に固定される取付部材１０と、この取付部材１０の支持孔１１に挿入された水栓本体４０の結合を行うべく弾性材料によってリング状に形成され、取付部材１０の支持孔１１の下部内周に拡径自在に嵌合されて、常態では支持孔１１の径より内径が小なる係合具２０と、この係合具２０による水栓本体４０と取付部材１０との結合を解除すべく、取付部材１０または水栓本体４０の下端に支持した係合解除部材３０とにより構成するとともに、
係合具２０は、これに切断部２１を入れたものとして、この切断部２１により当該係合具２０の縮径または拡径を可能にしたことを特徴とする水栓の取付装置１００」
である。
【００１６】
すなわち、この請求項２に係る取付装置１００においては、切断部２１を有したリング状の係合具２０を、取付部材１０の支持孔１１の下部内周に形成してある係止溝１２内に拡径自在に嵌合したものであり、これにより、取付装置１００を構成している係合具２０を取付部材１０側に結合させて、その紛失を防止するようにしてあるのである。勿論、この取付装置１００においては、その係合具２０が、取付部材１０の支持孔１１内への水栓本体４０の挿入時には水栓本体４０自身のテーパ面４２により、また水栓本体４０の取外し時には係合解除部材３０のテーパ面３２により拡径されるものとしてあって、水栓本体４０の取付部材１０に対する結合と取外し作業を容易に行えるようにしたものである。そして、係合具２０は、これに切断部２１を入れたものとしてあるから、この切断部２１により縮径または拡径が可能となっている。
【００１７】
請求項３に係る発明の採った手段は、上記請求項１または２に係る取付装置１００について、そのリング状の係合具２０の端縁に、係合解除部材３０の先端部に形成してあるテーパ面３２によって押動されたとき、当該係合具２０を縮径または拡径するためのテーパ面２２を形成したことであり、これにより、係合解除部材３０による係合具２０の係合解除を確実に行えるようにしたものである。
【００１８】
また、請求項４に係る発明の採った手段は、上記請求項１〜３のいずれかの取付装置１００について、その係合解除部材３０を、取付部材１０の支持孔１１内または水栓本体４０の内側に進退自在に嵌挿されるものとして構成するとともに、この係合解除部材３０の外周面に、取付部材１０または水栓本体４０に形成した係止穴１５・４３または係止溝１２に係止される係止部３１を突出形成したことであり、これにより、係合解除部材３０を取付部材１０または水栓本体４０側に結合させて、その紛失を防止するとともに、係合解除作業を明りが全くなくても行えるようにしたものである。
【００１９】
さらに、請求項５に係る発明の採った手段は、上記請求項１〜４のいずれかの取付装置１００について、さらにリング状の係合具２０をだ円状のものとして、水栓本体４０の下部外周または取付部材１０の支持孔１１の下部内周に弾性的に嵌合させたことであり、これにより、係合具２０による取付部材１０と水栓本体４０との結合をより確実に行えるようにしたものである。
【００２０】
【発明の作用】
以上のように構成した各発明の作用について以下に説明するが、各実施例に示した取付装置１００は、上記請求項の発明を次のように実質的に含むものであるから、それぞれの実施例に係る取付装置１００の作用を、その取付・取外し施工を含めて項を分けて説明することにより、各発明の作用説明とする。
【００２１】
・実施例１に係る取付装置１００について
図１〜図９には、本発明の第１実施例である取付装置１００が示してあり、この取付装置１００においては、縮径自在なリング状の係合具２０を水栓本体４０の下部外周面に嵌合させたものである。すなわち、この取付装置１００を構成する係合具２０は、例えば図８の（イ）に示したように、弾性材料によって切断部２１を有するリング状のものとしてあるから、その内径が水栓本体４０の外径よりも小さなものであっても、この係合具２０を水栓本体４０の下端から強制的に嵌め込んで係止溝４１まで移動させれば、この係合具２０は拡径されて水栓本体４０側の係止溝４１内に簡単に嵌合し得るのである。そして、係合具２０は、これに切断部２１を入れたものとしてあるから、この切断部２１により縮径または拡径が可能となっている。
【００２２】
水栓本体４０の係止溝４１内に嵌合された係合具２０は、図３の（イ）に示したように、それ自身の弾性力によって縮径するから、これを無理に拡径しない限り係止溝４１内から外れることはない、つまり水栓本体４０と結合されたままの状態を維持することになるのである。この場合において、この係合具２０は、図３の（イ）及び図４の（ハ）に示したように、水栓本体４０の外周面から当該係合具２０の幅の半分程度の高さで突出しているのであり、この係合具２０の突出した部分によって、特に図４の（ハ）において詳記したように、水栓本体４０の取付部材１０に対する結合がなされるのである。
【００２３】
一方、シンク台や洗面化粧台の天板等の水栓取付部５０に対しては、図１〜図３に示すように、水栓本体４０を取付けるための取付部材１０が固定されるのであるが、この取付部材１０は上端にフランジ１３を有しているから、このフランジ１３が上端になるようにして、当該取付部材１０を図３の（イ）等において示したように、水栓取付部５０に形成した穴内に挿入するのである。そして、この取付部材１０の下端から取付ナット１４を螺着すれば、この取付部材１０の水栓取付部５０に対する取付は完了する。この取付部材１０の下端には、後述する係合解除部材３０が取付けてあるが、この係合解除部材３０のフランジ３５の外径は、取付部材１０の外径と同じかそれ以下としてあるから、上記した取付ナット１４の取付作業に対してこの係合解除部材３０が邪魔になることはない。
【００２４】
この取付部材１０の水栓取付部５０に対する取付前であっても、また取付後であっても、この取付部材１０の図示下端に係合解除部材３０が取付けられるのであるが、この係合解除部材３０は、図３及び図７に示すように、円筒状のものとして形成してあり、しかも図７の（イ）に示すように、その一部に軸方向の切断部３３が形成してあるから、前述した係合具２０と同様に縮径自在なものとなっている。従って、この係合解除部材３０を取付部材１０に取付けるには、取付部材１０に形成してある支持孔１１内に下方から縮径させながら強制嵌入するのである。実施例の取付部材１０においては、図３の（イ）及び図４の（ハ）に示すように、その支持孔１１の下端部の内径が当該係合解除部材３０の上端部にある係止突起３１を挿入しておくのに都合のよいように大径にしてあるため、この係合解除部材３０の取付部材１０に対する強制嵌入は全く無理なく行えるものである。
【００２５】
また、この係合解除部材３０の下端には、図３の（イ）に示したように、その基体部分の外径よりも大径となっているフランジ３５が形成してあり、このフランジ３５の位置は、図５の（イ）に示すように、当該係合解除部材３０の係止突起３１の上端が取付部材１０の係止溝１２の上端に位置する直前に取付部材１０の下端に当接するような場所としてあるため、この係合解除部材３０の下端の手のひら等で押してやれば、取付部材１０の支持孔１１の所定位置に簡単に取付けられるのである。
【００２６】
取付部材１０の支持孔１１に取付けられた後の係合解除部材３０にあっては、図３の（イ）に示したように、それ自身の弾性力によって拡径することになり、その上端に形成してある係止突起３１の下端の係合段部３４が、取付部材１０側の係止溝１２に形成してある係止段部１２ａに自動的に係合することになるのである。この場合、実施例の取付部材１０においては、図６の（ロ）及び（ハ）に示したように、係止溝１２に連通する四角形状の係止穴１５が左右一対してあって、これら係止穴１５内に嵌合し得るように、係合解除部材３０の上端に形成してある各係止突起３１も、図７の（イ）に示すように、四角形状の左右一対のものとしてある。これにより、各係止突起３１が取付部材１０側の係止穴１５内に係合し易くしてあるのであるが、その位置は、取付部材１０に対して嵌入した係合解除部材３０を「カチッ」という音がするまで回転することにより簡単に決定し得るものである。
【００２７】
以上のようにしておけば、この第１実施例に係る取付装置１００においては、図３の（イ）を代表して示したように、これを構成している係合具２０は水栓本体４０側に結合されており、係合解除部材３０は取付部材１０側に結合されているのであるから、これらの係合具２０や係合解除部材３０はバラバラになることはなく、紛失してしまうこともないのである。勿論、これらの係合具２０や係合解除部材３０は、水栓本体４０を取付部材１０に取付ける前に予めそれぞれ結合させておけば、施工現場で係合具２０や係合解除部材３０の取付作業を行わなくても済むことは当然である。
【００２８】
さて、水栓本体４０を取付部材１０に取付ける作業であるが、係合具２０を下部外周に取付けた水栓本体４０を、水栓取付部５０に取付けてある取付部材１０の支持孔１１内に、図３の（ロ）に示したように、単に差し込むことにより完了するのである。何故なら、まず、水栓本体４０の下端を取付部材１０の支持孔１１内に、図３の（イ）に示したようにして挿入してからさらに押し込めば、係合具２０の下端外周に形成してあるテーパ面２２が支持孔１１の上端縁に係合して当該係合具２０を縮径するため、係合具２０の外径は簡単に支持孔１１の内径と一致することになり、この係合具２０を取付けた水栓本体４０は支持孔１１内に嵌挿されるからである。
【００２９】
そして、この水栓本体４０の大径部４４が取付部材１０側のフランジ１３上に載れば、図４の（イ）に示すように、その時係合具２０が取付部材１０側の係止溝１２に丁度対向することになる。従って、この係合具２０は、自身の弾性力によって、それまでの支持孔１１より内径が広くなった取付部材１０の係止溝１２内で拡径することになり、その上端面が係止溝１２の上面に係合することになるのである。なお、このとき、係合解除部材３０の係止突起３１が係止溝１２の上方に位置していたとしても、支持孔１１内を下がってきた係合具２０によって下動されるため、図４の（ハ）に示すような位置に押し下げられるものである。
【００３０】
以上のように、係合具２０を外周に有した水栓本体４０を取付部材１０の支持孔１１内に強制的に挿入すれば、図４の（ハ）に示したように、係合具２０の内側の約半分は水栓本体４０側の係止溝４１内に係合したままであり、しかもこの係合具２０の外側の約半分は取付部材１０側の係止溝１２内に係合したままとなるのである。換言すれば、その内側部分が水栓本体４０の係止溝４１内に上下動不能に係合したままにある係合具２０の外側部分が取付部材１０の係止溝１２内に係合しているのである。これにより、水栓本体４０の取付部材１０に対する上方への抜け止めがなされているのである。勿論、水栓本体４０の大径部４４が取付部材１０側のフランジ１３上に載っていることにより、水栓本体４０の図４に示した状態以上に下方へ動くことはないことは当然であり、結果として、この水栓本体４０は水栓取付部５０に対してしっかりと固定されていることになるのである。
【００３１】
ところで、この係合具２０を、請求項５に係る発明のように、だ円状のものとして、水栓本体４０の下部外周または取付部材１０の支持孔１１の下部内周に弾性的に嵌合させたものとしてあれば、図８の（ロ）に示したように、その大径部が取付部材１０側の係止溝１２内に納められることになり、その小径部は水栓本体４０側の係止溝４１内に完全に納められることになる。換言すれば、この場合の係合具２０は、取付部材１０側の係止溝１２と水栓本体４０側の係止溝４１内に完全に同時に位置することになり、取付部材１０の水栓本体４０に対する位置保持を確実に行うのである。従って、この係合具２０を係合具２０を外形がだ円状となるものとし、かつその長径側の外径が取付部材１０の支持孔１１の径以上で、短径側の内径が支持孔１１の径以下とした場合には、取付部材１０の支持孔１１に対する水栓本体４０の取付けを確実に行えるのである。
【００３２】
さて、この水栓本体４０が注文品と異なっているため変換しなければならない場合、あるいはこの水栓本体４０が古くなって交換しなければならない場合には、この水栓本体４０を水栓取付部５０から取外さなければならないが、その場合には、図５に示したように、係合解除部材３０を図中の矢印で示したように上動させるのである。係合解除部材３０の上端部には、四角形状の左右一対の係止突起３１が形成してあって、これら各係止突起３１の上部内端面には、係合具２０側のテーパ面２２と当接し得るテーパ面４２が形成してあるから、係合解除部材３０が上動されると、そのテーパ面４２が係合具２０側のテーパ面２２を押動してこの係合具２０を縮径させるのである。このとき、各係止突起３１は係合解除部材３０の上端に形成してあって係合解除部材３０から独立したものではないから、これら自身が拡径されることはなく、係合具２０の縮径を確実に行うものである。
【００３３】
以上のことによって、図５の（ハ）に示したように、その外径が取付部材１０の支持孔１１の内径以下のものとなって、取付部材１０と水栓本体４０間には両者を結合させるものが無くなるから、水栓本体４０は取付部材１０から簡単に出せることになるのである。
【００３４】
従って、この水栓本体４０の取付部材１０からの取外し作業は簡単に行えるのであり、取外した後の水栓本体４０においてはその外周に係合具２０が取付けられたままとなる。係合解除部材３０も、取付部材１０側に取付けられたままとなるのであり、これらの係合解除部材３０及び係合具２０は紛失することはないのである。
【００３５】
特に、この取付装置１００においては、従来は紛失し易すかった係合具２０が水栓本体４０側に取付けられているものであり、係合解除部材３０も取付部材１０側に取付けられているものでるから、その紛失を心配することがないことは前述した通りである。しかも、これらの係合具２０や係合解除部材３０は、水栓本体４０の取付部材１０に対する取付作業時等において、これを水栓本体４０や取付部材１０に改めて取付けなければならないというものではないから、従来のもののような取付場所を探すという作業は全く不要となっているのである。換言すれば、この取付装置１００においては、係合具２０は勿論のこと、係合解除部材３０についても、その存在確認や取付場所の確認等の注意を、全く払わなくてもよいものとなっているのである。
【００３６】
しかも、この取付装置１００においては、水栓本体４０を取付部材１０から取外す作業を暗闇でも行えるものとなっているのである。何故なら、係合解除部材３０は、そのフランジ３５が、手探ぐりでも容易に確認できる取付部材１０の下端に突出しているのであり、位置決めされるものだからである。しかも、係合具２０も水栓本体４０の下部外周に取付けられたままであるから、この係合具２０に対して何等操作をする必要がないからである。
【００３７】
・実施例２に係る取付装置１００について
図１０〜図１２に示した本発明の第２実施例である取付装置１００は、上記請求項１に係る取付装置１００と、その係合具２０が、水栓本体４０の取付部材１０からの取外しに際して拡径されるものである点が異なっているものである。そのために、この係合具２０は、図１０に示したように、取付部材１０の係止溝１２内に予め嵌合されているものであり、取付け前の水栓本体４０側には取付けられないものである。換言すれば、この請求項２に係る取付装置１００は、水栓本体４０とは全く無関係に、図１０に示したように、取付部材１０自体に係合具２０と係合解除部材３０とを予め取付けておけるものであり、これら三つの構成部材を互いに離れないように一まとめのものとしておけるものである。そして、係合具２０は、これに切断部２１を入れたものとしてあるから、この切断部２１により縮径または拡径が可能となっている。
【００３８】
さて、このように一まとめとなった取付装置１００を、図１０に示したように、水栓取付部５０の所定箇所に取付けておいて、その取付部材１０の支持孔１１内に水栓本体４０を挿入するのである。水栓本体４０が挿入される前の係合具２０は、その内側部分が支持孔１１内に突出したものとなっているが、挿入されてきた水栓本体４０の下端外周面にはテーパ面４２が形成してあるから、このテーパ面４２によって係合具２０は拡径されることになり、水栓本体４０は簡単に支持孔１１内に挿入される。
【００３９】
水栓本体４０の大径部４４が取付部材１０側のフランジ１３上に載せられた時には、図１１に示したように、係合具２０が水栓本体４０の外周に形成してある係止溝４１に対向することになり、この係合具２０がそれ自身の弾力性によって縮径するから、この係合具２０はその内側の約半分が水栓本体４０の係止溝４１内に嵌入することになる。従って、水栓本体４０はこの係合具２０の存在によって、取付部材１０の支持孔１１内にしっかりと抜け止めされるのである。
【００４０】
これに対して、水栓本体４０を取付部材１０から取外すには、実施例１の取付装置１００の場合と同様に、取付部材１０の下端に組付けてある係合解除部材３０を、図１２に示したように上動させるのである。この係合解除部材３０の上端には、上端外側面にテーパ面３２が形成してある係止突起３１が一体的に形成してあるから、この係止突起３１の上動に伴ってそのテーパ面３２が係合具２０の下部内面に形成してあるテーパ面２２を押動するため、この係合具２０は取付部材１０の係止溝１２内にて拡径するのである。そして、係合具２０の内径が、図１２に示したように、取付部材１０の支持孔１１の径と同じになれば、水栓本体４０はそのまま上方へ簡単に引き出せることになるのである。
【００４１】
この取付装置１００においても、従来は紛失し易すかった係合具２０が水栓本体４０側に取付けられているものであり、係合解除部材３０も取付部材１０側に取付けられているものでるから、その紛失を心配することがないことは前述した通りである。しかも、これらの係合具２０や係合解除部材３０は、水栓本体４０の取付部材１０に対する取付作業時等において、これを水栓本体４０や取付部材１０に改めて取付けなければならないというものではないから、従来のもののような取付場所を探すという作業は全く不要となっているのである。換言すれば、この取付装置１００においては、係合具２０は勿論のこと、係合解除部材３０についても、その存在確認や取付場所の確認等の注意を、全く払わなくてもよいものとなっているのである。
【００４２】
しかも、この取付装置１００においても、水栓本体４０を取付部材１０から取外す作業を暗闇でも行えるものとなっているのである。何故なら、係合解除部材３０は、そのフランジ３５が、手探ぐりでも容易に確認できる取付部材１０の下端に突出しているのであり、位置決めされるものだからである。しかも、係合具２０も水栓本体４０の下部外周に取付けられたままであるから、この係合具２０に対して何等操作をする必要がないからである。
【００４３】
図１３〜図１５に示した取付装置１００では、その係合解除部材３０を水栓本体４０の下端部内側に取付けたものである点が、上記の実施例１または２に係る取付装置１００とは異なっているものである。この取付装置１００を構成している係合解除部材３０は、図１３に示したように、その基体部分の上面に、合計４本の係止突起３１を一体的に形成したものであり、これら各係止突起３１の先端は、図１３〜図１５に示したように、水栓本体４０の下部に形成した係止穴４３内に挿入されることになるものである。
【００４４】
すなわち、この係合解除部材３０は、水栓本体４０の略中心に給水管や給湯管を挿通するための孔が形成してあるのであるが、この孔を利用して水栓本体４０の下端に取付けられるものであり、その各係止突起３１の外端は水栓本体４０側の各係止穴４３に係止されるものである。そして、この係合解除部材３０の下端に形成してあるフランジ３５の外径は水栓本体４０の下端の外径以下のものとなっているのである。
【００４５】
一方、この取付装置１００における係合具２０は、図１４及び図１５に示したように、取付部材１０の支持孔１１の内側に形成してある係止溝１２内に拡径自在に嵌合してあるので、取付部材１０に結合したものとなっている。そして、この係合具２０の上端内側には、水栓本体４０の下端部外側のテーパ面４２と係合解除部材３０側の係止突起３１に形成してあるテーパ面３２とに係合するテーパ面２２が形成してあって、水栓本体４０が取付部材１０の支持孔１１内に挿入されたとき、係止溝１２内にて拡径して水栓本体４０の挿入を可能にするものである。
【００４６】
これに対して、取付部材１０から水栓本体４０を取外す場合には、図１５に示したように、係合解除部材３０を水栓本体４０の下端から引き下げるのである。これにより、係合解除部材３０の各係止突起３１におけるテーパ面３２が係合具２０側のテーパ面２２を外方に押すことになって、係合具２０は拡径されるのであり、水栓本体４０は取付部材１０から引き抜き可能となるのである。
【００４７】
【実施例】
以上の各発明を図面に示した二つの実施例に係る取付装置１００について説明するが、各実施例において共通する部材については、図面中に代表的な同一符号を付してその詳述を省略する。
【００４８】
・実施例１に係る取付装置１００について
前述した通り、図１〜図９には、第１実施例に係る取付装置１００が示してあり、この取付装置１００を利用することにより、図１及び図２に示したように、水栓本体４０は水栓取付部５０に固定されるものである。この水栓本体４０には、水栓取付部５０の下側に配管されてくる給水管や給湯管に接続されるものであるが、そのためにこの水栓本体４０の中心には、図３の（イ）あるいは図９等に示したように、給水管等を接続するための孔が形成してある。また、この水栓本体４０の下端部は、取付部材１０の支持孔１１内に挿入されるものであるが、その途中に形成してある大径部４４が取付部材１０上に当接することにより、それ以上の支持孔１１内への挿入が規制されるものである。そして、この水栓本体４０の下部外周には、取付装置１００を構成する係合具２０が収納または係合するための係止溝４１を形成してあるが、図１３に示すような実施例３に係るものの場合には、係合解除部材３０のための係止穴４３が形成されることもあるものであり、下端外周には取付部材１０の支持孔１１内への挿通等を容易にするためのテーパ面４２が形成してある。
【００４９】
さて、取付装置１００は、以上の水栓本体４０を実質上支持する取付部材１０と、この取付部材１０側かあるいは上記水栓本体４０側に取付けられるリング状の係合具２０と、この係合具２０を縮径または拡径してその係合を解除する係合解除部材３０とを備えたものである。これらの各部材の材料は適宜選定し得るが、取付部材１０は水栓本体４０を支持するものであることから硬質の合成樹脂材料によって、また係合具２０や係合解除部材３０はある程度の弾力性を有したものとする必要上、一般的な軟質の合成樹脂を材料としたものである。
【００５０】
取付部材１０は、図１、図２及び図３の（イ）等において示したように、水栓本体４０を水栓取付部５０に取付けるためのものであり、その内部には水栓本体４０の外径と略同一の径を有する支持孔１１が形成してある。この支持孔１１の下端に近い内側には、後述する係合具２０を係合するための係止溝１２が円環状に形成してあり、この係止溝１２の下端は係止段部１２ａとしてある。換言すれば、取付部材１０の支持孔１１は、この係止段部１２ａより下方部分が他の部分より大径となるようにしてあり、この係止段部１２ａより下方部分の支持孔１１に後述する係合解除部材３０を支持し易くしてあるのである。
【００５１】
また、この実施例に係る取付部材１０にあっては、図６の（ロ）及び（ハ）に示すように、係止溝１２を外部に連通させるための係止穴１５が左右一対のものとして形成してある。この係止穴１５は、後述する係合解除部材３０の係止突起３１が係止される部分であり、その係止を十分行える程度の大きさの四角形状のものとしてある。この取付部材１０は、天板等の水栓取付部５０に形成した穴に挿通してこれに係止されるものであるため、その上端にはフランジ１３が形成してあり、またこの取付部材１０は、図１及び図２に示したように、取付ナット１４を締着することにより水栓取付部５０に対する固定が行われるものであるため、図６の（ハ）に示したように、そのフランジ１３より下方部分の外周には取付ナット１４のためのネジ部が形成してある。なお、この取付部材１０は、これに対する水栓本体４０の回り止めを行わなければならないから、図６の（イ）に示すように、水栓本体４０の大径部４４側に形成した図示しない突起が係合する係合凹所１３ａがフランジ１３に形成してある。
【００５２】
係合具２０は、取付部材１０の支持孔１１内に挿入された水栓本体４０の取付部材１０に対する抜け止めを行うものであって、図３の（イ）に示したように水栓本体４０側の係止溝４１に取付けられることもあり、また後述の実施例２を示す図１０のように、取付部材１０側の係止溝１２に取付けられることもあるものである。いずれにしても、この係合具２０は、円環状の係止溝１２または４１内に嵌合されるものであるから、図８に示すように、切断部２１を入れた円環状、つまりリング状のものとしてある。勿論、この係合具２０は、弾力性を有したものであり、その切断部２１の存在によって縮径または拡径自在なものとなっている。この縮径または拡径という表現は、当該係合具２０による係合解除が、係合具２０の外形を縮めて行うのか拡げて行うかに着目して区別しているもので、切断部２１が存在していれば、係合具２０の縮径と拡径はいずれも可能なものである。
【００５３】
この係合具２０の縮径または拡径は、係合具２０の係合解除部材３０による押動によってなされるものであり、その作動が確実になされるようにするために、当該係合具２０には係合解除部材３０によって押動されるテーパ面２２が形成してある。このテーパ面２２の形成位置及び形状は、当該係合具２０と係合解除部材３０とがどのような位置関係にあるかによって種々変更されるものであり、当該実施例１の取付装置１００においては、特に図４の（ハ）において明瞭にしているように、係合具２０の下端外周面にテーパ面２２を形成しているのである。なお、切断部２１の長さは、この係合具２０の縮径または拡径が行えるのであれば、また通常時において取付部材１０または水栓本体４０側にしっかりと取付けられるのであれば、図８の（イ）に示した程度のものに限らず、適宜変更し得るものである。
【００５４】
また、この係合具２０は、通常時は勿論、縮径時にも拡径時にも取付部材１０側の係止溝１２または水栓本体４０側の係止溝４１内に取付けておかなければならないものであるから、当該実施例の係合具２０においては、例えば図４の（ハ）に明示したように、テーパ面２２と反対側の端面を軸方向に対して直交するものとしてあり、ここを係合段部２３としてあるものである。この係合段部２３によって、切口が直角になっている取付部材１０側の係止溝１２または水栓本体４０側の係止溝４１にしっかりと係合するのである。
【００５５】
さらに、この係合具２０を真円に近いリング状のものとしてもよいが、図８に示したように、係合具２０をだ円状のものとして、水栓本体４０の下部外周または取付部材１０の支持孔１１の下部内周に弾性的に嵌合してもよい。この場合には、当該係合具２０によって、取付部材１０に対する水栓本体４０の抜け止めを行った際、その一部が取付部材１０側の係止溝１２内に入るとともに、他の一部が水栓本体４０側の係止溝４１内に入ることになって、当該係合具２０が水栓本体４０側の係止溝４１内に弾性的に嵌合することになる。従って、当該係合具２０は、常に水栓本体４０側の係止溝４１内に弾力的に支持されることになって、取付部材１０に対する水栓本体４０の抜け止めを確実に行うことができて有利となるからである。
【００５６】
また、このようなだ円状の係合具２０とした場合には、その長径側端部または短径側端部に力を加えるだけで、当該係合具２０の縮径または拡径を簡単に行うことができるのである。以上のことは、だ円形状の係合具２０を取付部材１０側に嵌合した場合も同様である。
【００５７】
係合解除部材３０は、図３の（イ）及び図７に示したように、軸方向の切断部３３を有する円筒状のものであり、その内径は取付部材１０側の支持孔１１と略同一のものとしてある。従って、この係合解除部材３０は、切断部３３の存在及び自身の弾性力によって縮径または拡径自在なものとなって、この係合解除部材３０を取付部材１０の下部等に取付けるに際しては、縮径されるものであり、その加えられた力が無くなれば、図３の（イ）等に示したように、取付部材１０の下部に弾発的に保持されるものである。
【００５８】
この係合解除部材３０の上端縁の一部には、図３の（イ）及び図７の（イ）に示したように、外周にテーパ面３２を有した係止突起３１が四角形状のものとして左右一対形成してある。各係止突起３１は、前述した取付部材１０側の図６の（ハ）に示した係止穴１５内に内側から係合するものであり、これにより、当該係合解除部材３０の取付部材１０に対する取付けがなされるものである。また、これら各係止突起３１の外方下端には、図７の（ロ）の左側部分において示したように、取付部材１０側の係止溝１２における係止段部１２ａ上に係合する係合段部３４が形成してある。この係合段部３４は取付部材１０側の係止段部１２ａに係合させなければならないから、係止段部１２ａと同様に、係合解除部材３０の軸方向に対して直交するものとしてある。勿論、これらのテーパ面３２及び係合段部３４を有した各係止突起３１は、係合解除部材３０の上端縁にて円環状に連続したものとして一体的に形成して実施してもよいものであり、その場合には、例えば取付部材１０側を厚く形成して係止穴１５を無くせばよいものである。
【００５９】
この係合解除部材３０は、円筒状のものとしてあるから、その内側には穴３０ａが存在しており、この穴３０ａは、当該係合解除部材３０が取付部材１０の下端に取付けられたとき、取付部材１０側の支持孔１１と略同径のものとなるものである。そして、この穴３０ａには、係合解除部材３０の上部内側に形成してある案内テーパ面３６が連続しているものであり、この案内テーパ面３６によって取付部材１０側の支持孔１１内に挿入された水栓本体４０の下端を円滑に案内するのであって、水栓本体４０の取付部材１０に対する挿入が簡単に行えるようにしてある。一方、この係合解除部材３０の下端には、図７の（ロ）に示したように、取付部材１０の外形以下であって取付部材１０の支持孔１１より大きい径のフランジ３５が一体的に形成してあるのであり、このフランジ３５が、当該係合解除部材３０を取付部材１０の下端に強制的に挿入したときのストッパの役割を果たすものである。
【００６０】
なお、この係合解除部材３０のフランジ３５と、取付部材１０の下端との間に、図３の（イ）に示したように、両者を弾発的に離間するスプリング６０を介装することもある。このスプリング６０は、例えば係合解除部材３０を図示上方へ押動して、係合具２０の拡径または縮径を行った後に、この係合解除部材３０が図３の（イ）に示した状態に自動復帰させるものであり、当該取付装置１００による取付部材１０と水栓本体４０との結合を安定化させることのできるものである。
【００６１】
・実施例２に係る取付装置１００について
図１０〜図１２には本発明の第２実施例に係る取付装置１００が示してあるが、この取付装置１００の前述した実施例１のそれと異なる点は、係合具２０を水栓本体４０側ではなくて取付部材１０側に取付けたことである。そして、その他は実施例１の取付装置１００と共通する部分が多いので、共通する部材について図面中に同一符号を付してその説明を省略し、異なる点を中心に説明すると、次の通りである。
【００６２】
まず、この係合具２０は、係合解除部材３０側の係合段部３４内に取付けられるものであり、何等の力も加えなければ、係合解除部材３０内にて図１０に示した状態となっているものである。すなわち、この係合具２０は、図１０に示した状態にあるときに、その上面の略中心に取付部材１０側の係止溝１２を形成している内端縁が当接するのであり、これにより、係止溝１２からの抜け止めがなされているものである。そして、この係合具２０は、図１０に示したように、取付部材１０の上方から水栓本体４０が挿入されてきたときには、この水栓本体４０の下端のテーパ面４２によって拡径されるものである。
【００６３】
また、この係合具２０の下端内面にはテーパ面２２が形成してあり、このテーパ面２２が図１１に示したように、下方から押動されてきた係合解除部材３０のテーパ面３２に係合するのであり、係合解除部材３０がさらに挿入されれば、図１２示したように拡径されるのである。換言すれば、取付部材１０の係止溝１２内に取付けられた係合具２０に何等の力も加えられていなければ、この係合具２０の外側には、図１０に示したような拡径のための空間が確保できるように、係合具２０及び係止溝１２の大きさが決められているのである。
【００６４】
図１３〜図１５には、別の取付装置１００が示してあるが、この取付装置１００の上記実施例１及び２のそれと異なる点は、係合解除部材３０が水栓本体４０の下端に取付けられるようにしたことである。すなわち、この取付装置１００における係合解除部材３０は、図１３に示したように、その基部の上端に突出する複数の係止突起３１を一体的に形成したものであり、これら各係止突起３１は、水栓本体４０側に形成した係止穴４３内に係合されるものである。勿論、水栓本体４０側の各係止穴４３は、水栓本体４０を取付部材１０に対して結合させたとき、図１４及び図１５に示したように、取付部材１０側の係止溝１２と同一位置に位置するものとなるように形成したものである。
【００６５】
また、各係止突起３１の外方下面には、図１３等において示したようにテーパ面３２が形成してあり、このテーパ面３２に当接する係合具２０側のテーパ面２２は、図１４及び図１５に示したように、係合具２０の上端縁内側に形成してあるのである。
【００６６】
勿論、この取付装置１００を構成している係合解除部材３０は、図１４に示したように、水栓本体４０の下端に取付けた状態で、取付部材１０の支持孔１１内に水栓本体４０とともに挿入されることもあるものであるから、その下端に設けたフランジ３５の外径は支持孔１１の径よりも小さくなるようにしてある。
【００６７】
【発明の効果】
以上、詳述した通り、まず請求項１に係る発明においては、上記実施例にて例示した如く、
「水栓本体４０を水栓取付部５０に取付けるための取付装置１００であって、  この取付装置１００を、水栓本体４０を差し込むための支持孔１１を有して水栓取付部５０に固定される取付部材１０と、この取付部材１０の支持孔１１に挿入された水栓本体４０の結合を行うべく弾性材料によってリング状に形成され、水栓本体４０の下部外周に縮径自在に嵌合されて、常態では支持孔１１の径より外径が大なる係合具２０と、この係合具２０による水栓本体４０と取付部材１０との結合を解除すべく、取付部材１０の下端に支持した係合解除部材３０とにより構成するとともに、
係合具２０は、これに切断部２１を入れたものとして、この切断部２１により当該係合具２０の縮径または拡径を可能にしたこと」
にその構成上の特徴があり、これにより、リング状に形成した係合具を水栓本体の下部外周に縮径自在に取り付け、この係合具によって水栓本体の取付部材に対する結合を行うようにして、水栓の取付作業時における係合具の紛失を防止することができて、結果として水栓の取付作業を短時間内に確実にかつ容易に行えるようにすることのできる取付装置を提供することができるのである。
【００６８】
また、請求項２に係る発明においては、
「水栓本体４０を水栓取付部５０に取付けるための取付装置１００であって、  この取付装置１００を、水栓本体４０を差し込むための支持孔１１を有して水栓取付部５０に固定される取付部材１０と、この取付部材１０の支持孔１１に挿入された水栓本体４０の結合を行うべく弾性材料によってリング状に形成され、取付部材１０の支持孔１１の下部内周に拡径自在に嵌合されて、常態では支持孔１１の径より内径が小なる係合具２０と、この係合具２０による水栓本体４０と取付部材１０との結合を解除すべく、取付部材１０または水栓本体４０の下端に支持した係合解除部材３０とにより構成するとともに、
係合具２０は、これに切断部２１を入れたものとして、この切断部２１により当該係合具２０の縮径または拡径を可能にした成したこと」
にその構成上の特徴があり、これにより、係合具を水栓本体を水栓取付部に取付けるための取付部材側に拡径自在に取り付けて、この係合具の紛失を防止し、水栓の取付作業を短時間内に確実かつ容易に行えるようにすることのできる取付装置を提供することができるのである。
【００６９】
さらに、請求項３に係る発明においては、上記請求項１または２に係る取付装置１００について、その係合具２０に、係合解除部材３０側のテーパ面３２に当接するテーパ面２２を形成したので、請求項１または２に係る発明と同様な効果を発揮できる他、この係合具２０の係合解除時における縮径または拡径を確実に行うことができるのであり、水栓本体４０の交換または交換作業をより一層確実かつ簡単に行うことのできる取付装置１００とすることができるのである。
【００７０】
さらにまた、請求項４に係る発明においては、上記請求項１〜３に係る取付装置１００について、その係合解除部材３０を、取付部材１０の支持孔１１内または水栓本体４０の内側に進退自在に嵌挿されるものとして構成するとともに、この係合解除部材３０の外周面に、取付部材１０または水栓本体４０に形成した係止穴１５・４３または係止溝１２に係止される係止部３１を突出形成したことにその特徴があり、これにより、請求項１〜３の発明と同様な効果を発揮できる他、係合解除部材３０自体の操作を簡単に行える取付装置１００とすることができるのである。
【００７１】
そして、請求項５に係る発明においては、上記請求項１〜４に係る取付装置１００について、その係合具２０をだ円状のものとしたことにその特徴があり、これにより、請求項１〜４の発明と同様な効果を発揮することができる他、水栓本体４０と取付部材１０との結合をより確実に行える取付装置１００とすることができるのである。
【図面の簡単な説明】
【図１】本発明の実施例１に係る取付装置によって、水栓本体を水栓取付部側の取付部材に取付けた状態を示す部分正面図である。
【図２】同一部破断側面図である。
【図３】実施例１に係る取付装置によって水栓取付部側の取付部材に水栓本体を取付けようとしている状態を示すもので、（イ）は取付装置の断面図、（ロ）は斜視図である。
【図４】同取付装置によって取付部材と水栓本体とを結合させたときを示すもので、（イ）はその断面図、（ロ）はその斜視図、（ハ）は（イ）の要部拡大断面図である。
【図５】同取付装置による結合を解除するときの状態を示すもので、（イ）は取付装置の断面図、（ロ）は斜視図、（ハ）は（イ）の要部拡大断面図である。
【図６】同取付装置を構成する取付部材を示すもので、（イ）はその平面図、（ロ）は（イ）中の１−１線に沿ってみた縦断面図、（ハ）は正面図である。
【図７】同取付装置を構成する係合解除部材を示すもので、（イ）は平面図、（ロ）は（イ）中の２−２線に沿ってみた縦断面図である。
【図８】同取付装置を構成する係合具の一例を示すもので、（イ）は平面図、（ロ）は取付部材と水栓本体間に介装させたときの平面図である。
【図９】取付部材に取付けられるべき水栓本体を示すもので、（イ）はその部分破断正面図、（ロ）は平面図である。
【図１０】本発明の実施例２に係る取付装置の断面図である。
【図１１】同取付装置であって、取付部材と水栓本体とを結合させたときの状態を示す断面図である。
【図１２】同取付装置であって、取付部材と水栓本体との結合を解除するときの状態を示す断面図である。
【図１３】本発明の実施例３に係る取付装置を構成する係合解除部材と、これが取付けられる水栓本体との斜視図である。
【図１４】同取付装置であって、取付部材と水栓本体とを結合させたときの状態を示す部分断面図である。
【図１５】同取付装置であって、取付部材と水栓本体との結合を解除したときの状態を示す部分断面図である。
【図１６】従来の取付装置を示す分解斜視図である。
【符号の説明】
１００  取付装置
１０  取付部材
１１  支持孔
１２  係止溝
１２ａ係止段部
１３  フランジ
１３ａ位置決め穴
１４  取付ナット
１５  係止穴
２０  係合具
２１  切断部
２２  テーパ面
２３  係合段部
３０  係合解除部材
３１  係止突起
３２  テーパ面
３３  切断部
３４  係合段部
３５  フランジ
３６  案内テーパ
４０  水栓本体
４１  係止溝
４２  テーパ面
４３  係止穴
４４  大径部
５０  水栓取付部
６０  スプリング
【図１】
0003613718.tif 000002
【図２】
0003613718.tif 000003
【図３】
0003613718.tif 000004
【図４】
0003613718.tif 000005
【図５】
0003613718.tif 000006
【図６】
0003613718.tif 000007
【図７】
0003613718.tif 000008
【図８】
0003613718.tif 000009
【図９】
0003613718.tif 000010
【図１０】
0003613718.tif 000011
【図１１】
0003613718.tif 000012
【図１２】
0003613718.tif 000013
【図１３】
0003613718.tif 000014
【図１４】
0003613718.tif 000015
【図１５】
0003613718.tif 000016
【図１６】
0003613718.tif 000017